(57)【要約】      （修正有）【課題】照明器具を所望の位置にスライド可能であるとともに、適宜に照明器具の取り外しまたは追加が可能な、展示棚用の新型通電発光装置を提供する。【解決手段】背板１に固着されるアルミ型材２を備え、アルミ型材２の外面には表板３が連接され、アルミ型材２の中央にはスライド溝４が設けられ、表板３にはスライド溝４に対応する位置に線状溝５が設けられる。当該展示棚用の新型通電発光装置は、さらに照明器具６を備え、当該照明器具は、照明６１と、スライド溝４に挿入される導電ヘッド６２とを備え、スライド溝４内には、導電ヘッド６２の挿入によって導電を実現し、かつ導電ヘッド６２をスライド溝４に沿って移動可能とする導電構造が設けられ、前記スライド溝内および導電ヘッドには、照明器具を簡便に着脱可能とする噛合連接構造が設けられる。【選択図】図１
0003186799.tif 000002
【実用新案登録請求の範囲】
【請求項１】
展示棚用の新型通電発光装置であって、
背板（１）に固着されるアルミ型材（２）を備え、アルミ型材（２）の外面には表板（３）が連接され、アルミ型材（２）の中央にはスライド溝（４）が設けられ、表板（３）にはスライド溝（４）に対応する位置に線状溝（５）が設けられ、
当該展示棚用の新型通電発光装置は、さらに照明器具（６）を備え、当該照明器具（６）は、照明（６１）と、スライド溝（４）に挿入される導電ヘッド（６２）とを備え、スライド溝（４）内には、導電ヘッド（６２）の挿入によって導電を実現し、かつ導電ヘッド（６２）をスライド溝に沿って移動可能とする導電構造が設けられ、前記スライド溝（４）内および導電ヘッド（６２）には、照明器具（６）を簡便に着脱可能とする噛合連接構造が設けられることを特徴とする、展示棚用の新型通電発光装置。
【請求項２】
前記噛合連接構造は、スライド溝（４）の内側端の上面に設けられた内側ラック（１２）と、スライド溝（４）の外側端の下面に設けられた外側ラック（１３）とを備え、導電ヘッド（６２）の内側端の上面には、内側ラック（１２）に噛合する内側歯（１４）が設けられ、導電ヘッド（６２）の外側端の下面には、外側ラック（１３）に噛合する外側歯（１５）が設けられることを特徴とする請求項１に記載の展示棚用の新型通電発光装置。
【請求項３】
前記スライド溝（４）は、内部上面が上斜面（４１ａ）と上平面（４１ｂ）に分割され、内部下面が下平面（４２ａ）と下斜面（４２ｂ）に分割され、前記上斜面（４１ａ）と下斜面（４２ｂ）は、平行かつ下向きに傾斜していることを特徴とする請求項２に記載の展示棚用の新型通電発光装置。
【請求項４】
前記内側ラック（１２）は、スライド溝（４）の内側端の上面外に突出し、外側ラック（１３）は、スライド溝（４）の外側端の下面内へ陥入することを特徴とする請求項２または３に記載の展示棚用の新型通電発光装置。
【請求項５】
前記内側ラック（１２）および外側ラック（１３）の歯は、スライド溝（４）の奥側端に向かって傾斜していることを特徴とする請求項２または３に記載の展示棚用の新型通電発光装置。
【請求項６】
前記導電構造は、スライド溝（４）の上面に嵌合される絶縁溝（７）を備え、絶縁溝（７）の下面には、プラスの導電条（８）とマイナスの導電条（９）とが平行に嵌合され、
導電ヘッド（６２）の上面には、プラスの導電条（８）に圧接可能なプラスの突起（１０）と、マイナスの導電条（９）に圧接可能なマイナスの突起（１１）とがそれぞれ設けられることを特徴とする請求項２または３に記載の展示棚用の新型通電発光装置。
【請求項７】
前記絶縁溝（７）は絶縁ゴム溝であって、前記プラスの導電条（８）とマイナスの導電条（９）は銅条であることを特徴とする請求項６に記載の展示棚用の新型通電発光装置。
【考案の詳細な説明】
【技術分野】
【０００１】
本考案は、展示棚用の新型通電発光装置に関する。
【背景技術】
【０００２】
出願人は、２０１１年１月１８日付で、「展示棚用発光プレートの通電構造」を名称とする特許を出願した。同特許の授権公告番号はＣＮ２０１９７７３３２Ｕ、特許番号は２０１１２００１５６７１.７である。同特許では、（１）帯状電灯への電力供給の問題を解決するとともに、（２）展示棚の総体的美観を考慮して電線を隠蔽し、（３）プレート間の高さ幅を調節可能なように、左右の支持台を固定部に沿って上下に調整できるようにし、（４）構造の簡易化と装着の利便性向上によって、生産コストおよび装着コストの削減を可能としている。
【０００３】
しかしながら、大きめの展示棚の場合や、異なる商品を展示する場合には、照明光の照射角度を調節したり、照明を異なる場所に配置したりする必要がある。あるいは、同一水平面上に複数の照明器具を装着する必要がある。ところが、現状ではこうした要求に応えられていない。
【０００４】
よって、本考案はこのような情況に対応するものである。
【考案の概要】
【０００５】
本考案は、照明器具を所望の位置にスライド可能であるとともに、適宜に照明器具の取り外しまたは追加が可能な、展示棚用の新型通電発光装置を提供することを目的とする。
【０００６】
この目的に対して、本考案は以下の技術方案を用いた。
【０００７】
本考案における展示棚用の新型通電発光装置は、背板１に固着されるアルミ型材２を備え、アルミ型材２の外面には表板３が連接され、アルミ型材２の中央にはスライド溝４が設けられ、表板３にはスライド溝４に対応する位置に線状溝が５設けられるとともに、当該展示棚用の新型通電発光装置はさらに照明器具６を備え、当該照明器具６は、照明６１と、スライド溝４に挿入される導電ヘッド６２とを備え、スライド溝４内には、導電ヘッド６２の挿入によって導電を実現し、かつ導電ヘッド６２をスライド溝に沿って移動可能とする導電構造が設けられ、前記スライド溝４内および導電ヘッド６２には、照明器具６を簡便に着脱可能とする噛合連接構造が設けられていることを特徴とする。
【０００８】
前記展示棚用の新型通電発光装置は、前記噛合連接構造が、スライド溝４の内側端の上面に設けられた内側ラック１２と、スライド溝４の外側端の下面に設けられた外側ラック１３とを備え、導電ヘッド６２の内側端の上面には、内側ラック１２に噛合する内側歯１４が設けられ、導電ヘッド６２の外側端の下面には、外側ラック１３に噛合する外側歯１５が設けられることを特徴とする。
【０００９】
前記展示棚用の新型通電発光装置は、前記スライド溝４において、内部上面が上斜面４１ａと上平面４１ｂに分割され、内部下面が下平面４２ａと下斜面４２ｂに分割され、前記上斜面４１ａと下斜面４２ｂは、平行かつ下向きに傾斜していることを特徴とする。
【００１０】
前記展示棚用の新型通電発光装置は、前記内側ラック１２がスライド溝４の内側端の上面外に突出し、外側ラック１３がスライド溝４の外側端の下面内へ陥入することを特徴とする。
【００１１】
前記展示棚用の新型通電発光装置は、前記内側ラック１２および外側ラック１３の歯が、スライド溝４の奥側端に向かって傾斜していることを特徴とする。
【００１２】
前記展示棚用の新型通電発光装置は、前記導電構造がスライド溝４の上面に嵌合される絶縁溝７を備え、絶縁溝７の下面には、プラスの導電条８とマイナスの導電条９とが平行に嵌合され、導電ヘッド６２の上面には、プラスの導電条８に圧接可能なプラスの突起１０と、マイナスの導電条９に圧接可能なマイナスの突起１１とがそれぞれ設けられることを特徴とする。
【００１３】
前記展示棚用の新型通電発光装置は、前記絶縁溝７が絶縁ゴム溝であって、前記プラスの導電条８とマイナスの導電条９は銅条であることを特徴とする。
【００１４】
本考案では、以下の有益な効果を得られる。
【００１５】
第一に、設置される導電構造によって、照明器具はスライド溝に沿ってスライド往復可能となる。よって、適宜に照明器具を移動して、照明光を展示物それぞれの方向へ照射することが可能となり、非常に便利である。
【００１６】
第二に、噛合連接構造により照明器具の着脱における利便性が大幅に高まる。
【００１７】
照明器具を取り外したい場合には、照明器具の外側端を持ち上げてスライド溝内と導電ヘッドの歯を解除するだけで、照明器具を容易にスライド溝から取り外すことができる。
【００１８】
一方、照明器具を装着または追加したい場合には、導電ヘッドをスライド溝内に挿入し、プラスの突起をプラスの導電条に圧接し、マイナスの突起をマイナスの導電条に圧接するだけで、照明器具の通電が実現される。そして、手を放せば、重力によって導電ヘッドの奥側端は上方に持ち上がり、導電ヘッドの外側端は下側に下げられる。これにより、スライド溝と導電ヘッドの歯が噛合され、導電ヘッドはスライド溝内に位置決めされて、スライド溝から引き出すことができなくなる。
【００１９】
このように、噛合連接構造によって、照明器具の取り外しや追加が非常に簡便となる。
【００２０】
第三に、噛合連接構造の使用を考慮して、上斜面と下斜面は平行かつ下向きに傾斜しており、操作しやすい。
【図面の簡単な説明】
【００２１】
【図１】図１は、本考案の分解図である。
【図２】図２は、本考案の断面図である。
【図３】図３は、アルミ型材の断面図である。
【図４】図４は、導電ヘッドを示す図である。
【図５】図５は、本考案の斜視図である。
【図６】図６は、本考案の斜視図である。
【考案を実施するための形態】
【００２２】
以下に、図面とともに実施例を挙げて本考案を詳細に説明する。
【００２３】
図に示すように、展示棚用の新型通電発光装置は、背板１に固着されるアルミ型材２を備える。アルミ型材２の外面には表板３が連接され、アルミ型材２の中央にはスライド溝４が設けられる。スライド溝４は、アルミ型材２の全体を真っ直ぐに貫通する溝である。表板３には、スライド溝４に対応する位置に線状溝５が設けられる。
【００２４】
また、展示棚用の新型通電発光装置はさらに照明器具６を備え、当該照明器具６は、照明６１と、線状溝５を通じてスライド溝４に挿入可能な導電ヘッド６２とを備える。スライド溝４内には、導電ヘッド６２の挿入によって導電を実現し、かつ導電ヘッド６２をスライド溝に沿って移動可能とする導電構造が設けられている。これにより、照明器具はスライド溝に沿ってスライド往復可能となる。よって、適宜に照明器具を移動して、照明光を展示物それぞれの方向へ照射可能となり、非常に簡便である。
【００２５】
具体的には、前記導電構造は、スライド溝４の上面に嵌合される絶縁溝７を備え、絶縁溝７の下面には、プラスの導電条８とマイナスの導電条９とが平行に嵌合される。導電ヘッド６２の上面には、プラスの導電条８に圧接されるプラスの突起１０と、マイナスの導電条９に圧接されるマイナスの突起１１とがそれぞれ設けられる。これにより、導電ヘッド６２がスライド往復する際に、プラスの突起はプラスの導電条を圧接しながらプラスの導電条に沿ってスライドし、マイナスの突起はマイナスの導電条を圧接しながらマイナスの導電条に沿ってスライドする。すなわち、巧妙な設計が実現され、使用に便利である。
【００２６】
また、前記スライド溝４内および導電ヘッド６２には、照明器具６を簡便に着脱可能とする噛合連接構造が設けられている。具体的には、前記噛合連接構造は、スライド溝４の内側端の上面に設けられた内側ラック１２と、スライド溝４の外側端の下面に設けられた外側ラック１３とを備える。導電ヘッド６２の内側端の上面には、内側ラック１２に噛合する内側歯１４が設けられ、導電ヘッド６２の外側端の下面には、外側ラック１３に噛合する外側歯１５が設けられる。内側ラック１２と内側歯１４、および外側ラック１３と外側歯１５の噛合によって、簡便に照明器具を着脱できる。
【００２７】
具体的には、照明器具を取り外したい場合、照明器具の外側端を持ち上げることで、内側歯１４を内側ラック１２から解除し、外側歯１５を外側ラック１３から解除するだけで、導電ヘッド６２を容易にスライド溝から取り出し、照明器具を取り外すことができる。
【００２８】
一方、照明器具を装着または追加したい場合には、導電ヘッドをスライド溝内に挿入し、プラスの突起をプラスの導電条に圧接し、マイナスの突起をマイナスの導電条に圧接するだけで、照明器具の通電が実現される。そして、手を放せば、重力によって導電ヘッドの奥側端は上方に持ち上がり、導電ヘッドの外側端は下側に下げられる。これにより、スライド溝内と導電ヘッドの歯が噛合され、導電ヘッドはスライド溝内に位置決めされて、スライド溝から引き出すことができなくなる。
【００２９】
さらに、前記スライド溝４の内部上面は、上斜面４１ａと上平面４１ｂに分割され、スライド溝４の内部下面は、下平面４２ａと下斜面４２ｂに分割されている。前記上斜面４１ａと下斜面４２ｂは平行かつ下向きに傾斜していることから、導電ヘッドを一定の傾斜角度でスライド溝４に挿入する際に、スライド溝４内の内側ラック１２と外側ラック１３とを回避することができる。
【００３０】
本実施例の望ましい形態としては、前記内側ラック１２は、スライド溝４の内側端の上面外に突出し、外側ラック１３は、スライド溝４の外側端の下面内へ陥入する。
【００３１】
本実施例の望ましい形態としては、前記内側ラック１２および外側ラック１３の歯は、スライド溝４の奥側端に向かって傾斜している。
【００３２】
本実施例の望ましい形態としては、前記絶縁溝７は絶縁ゴム溝であって、前記プラスの導電条８とマイナスの導電条９は銅条である。
【００３３】
本実施例の望ましい形態としては、前記表板３の背部に留め具１７が設けられ、留め具１７はアルミ型材２に嵌入される。
【図１】
0003186799.tif 000003
【図２】
0003186799.tif 000004
【図３】
0003186799.tif 000005
【図４】
0003186799.tif 000006
【図５】
0003186799.tif 000007
【図６】
0003186799.tif 000008